(57)【要約】【課題】マイクカバーをマイクロホンボディに着脱自在に連結するなかで、外来電磁波に対するすぐれたシールド効果も確保することができるコンデンサマイクロホンの提供。【解決手段】先端側にマイクロホンユニット１７を配設したマイクロホンボディ１２と、マイクロホンユニット１７を覆ってマイクロホンボディ１２側に着脱自在に連結されるマイクカバー２２とを少なくとも備えるコンデンサマイクロホン１１において、マイクロホンボディ１２は、筒状の本体部１３と、該本体部１３の先端側に延設された一側連結部１４とを備え、マイクカバー２３は、マイクロホンユニット１７を覆うカバー本体部２３と、該カバー本体部２３の開放端２４側に付設されて一側連結部１４と対面配置される他側連結部２５を備え、これら一側連結部１４と他側連結部２５とを止めねじ３３で着脱自在に連結してシールド効果を高めた。【選択図】図１
2008078703.tif 000002
【特許請求の範囲】
【請求項１】
先端側にマイクロホンユニットを配設したマイクロホンボディと、前記マイクロホンユニットを覆って前記マイクロホンボディ側に電気的導通をとって着脱自在に連結されるマイクカバーとを少なくとも備えてなるコンデンサマイクロホンにおいて、
前記マイクロホンボディは、筒状の本体部と、該本体部の先端側に延設された一側連結部とを備え、
前記マイクカバーは、前記マイクロホンユニット側を覆う網状のカバー本体部と、該カバー本体部の開放端側に付設されて前記一側連結部と対面配置される他側連結部を備え、
これら一側連結部と他側連結部とは、相互に対面合致する位置関係のもとで設けた螺孔に対し止めねじを螺着して着脱自在に連結したことを特徴とするコンデンサマイクロホン。
【請求項２】
前記マイクロホンボディは、開口縁を介して仕切られた机を含む設置体の開口部内に前記マイクロホンユニット側を突出させて収納され、マイクカバーの前記他側連結部には、前記開口縁側への掛止が自在な鍔部を具備させた請求項１に記載のコンデンサマイクロホン。
【発明の詳細な説明】
【技術分野】
【０００１】
本発明は、マイクカバーをマイクロホンボディに対して着脱自在に連結するなかで、電磁波に対するすぐれたシールド効果も得ることができるようにしたコンデンサマイクロホンに関する技術である。
【背景技術】
【０００２】
コンデンサマイクロホンは、インピーダンス変換器（ＦＥＴ）を含むマイクロホンユニットを備えているので、外来電磁波に対するシールド効果もその全長にわたり確保することで、雑音発生を抑制できるように形成されている。
【０００３】
また、コンデンサマイクロホンのなかには、机や床面を含む設置体側にその存在を目立たなくして設置できるようにしたものもあり、このタイプのものをバウンダリーマイクロホン（面上収音式マイクロホン）と称している。そのうち床面に設置される上記タイプのものとしては、下記特許文献１に開示されているような扁平な姿勢のものが知られている。
【特許文献１】特開２００５−３３３１８０号公報
【０００４】
一方、卓上用のバウンダリーマイクロホンは、収音のために最低限必要となるマイクカバー側を机上に突出させ、本体であるマイクロホンボディ側を机内に収納させることでその存在を目立たなくしている。
【０００５】
図２は、従来からある卓上用のバウンダリーマイクロホンとして形成されたコンデンサマイクロホンの一例についての説明図であり、そのうちの（ａ）は、縦断面構造を示し、（ｂ）は、（ａ）につきマイクカバーを外した状態で示す要部説明図である。
【０００６】
同図によれば、例えば机等の設置体Ｄに設置されるコンデンサマイクロホン１は、先端側にマイクロホンユニット５を備えるマイクロホンボディ２と、マイクロホンユニット５を覆ってマイクロホンボディ２側に電気的導通をとって着脱自在に連結されるマイクカバー８とを少なくとも備えて形成されている。
【０００７】
このうち、例えば真鍮のような導電性合金より形成されるマイクロホンボディ２は、円筒形の本体部３と、該本体部３の先端からその長さと直交する方向に延設されて外周側に張り出させた鍔部４ａの周縁側から環状突起部４ｂを設けてなる鍔状連結部４とを備えている。なお、図中の引き出し符号６は、マイクロホンボディ３内に収容されている出力ユニットを示す。
【０００８】
一方、断面略コ字形を呈し、導電性金属により網状に形成されたマイクカバー８は、鍔状連結部４の環状突起部４ｂの内側に確保される空域７側に差し込まれる開放端部８ａを有している。
【０００９】
このため、マイクカバー８は、その開放端部８ａを介してマイクロホンボディ２の鍔状連結部４側に差し込んだ上で、適宜の接着剤９を塗布することでマイクロホンボディ２と一体的に連結することができることになる。
【００１０】
また、点検・修理の必要が生じた際には、接着剤９を除去するこマイクカバー８をマイクロホンボディ２側から取り外すことができるようになっている。
【発明の開示】
【発明が解決しようとする課題】
【００１１】
しかし、コンデンサマイクロホン１は、マイクロホンボディ２側に対し網状となった開放端部８ａを介してマイクカバー８が連結されているので、双方の電気的な導通も点接触のもとで確保されていたにすぎず、携帯電話が発するような強力な電磁波に対して十分なシールド効果を確保するのが難しかしいという不都合があった。
【００１２】
特に、卓上用のバウンダリーマイクロホンとして用いられるコンデンサマイクロホン１は、設置体Ｄの表面上に鍔状連結部４とマイクカバー８とを突出させて設置されることから、至近距離で携帯電話が使われたりすると、とりわけ多くの雑音を発生させてしまうという不具合があった。
【００１３】
本発明は、従来技術の上記課題に鑑み、マイクカバーの側をマイクロホンボディの側に対して、着脱自在に連結できるようにするなかで、外来電磁波に対するすぐれたシールド効果も確保することのできるコンデンサマイクロホンを提供することを目的としている。
【課題を解決するための手段】
【００１４】
本発明は、上記目的を達成すべくなされたものであり、先端側にマイクロホンユニットを配設したマイクロホンボディと、前記マイクロホンユニットを覆って前記マイクロホンボディ側に電気的導通をとって着脱自在に連結されるマイクカバーとを少なくとも備えてなるコンデンサマイクロホンにおいて、前記マイクロホンボディは、筒状の本体部と、該本体部の先端側に延設された一側連結部とを備え、前記マイクカバーは、前記マイクロホンユニット側を覆う網状のカバー本体部と、該カバー本体部の開放端側に付設されて前記一側連結部と対面配置される他側連結部を備え、これら一側連結部と他側連結部とは、相互に対面合致する位置関係のもとで設けた螺孔に対し止めねじを螺着して着脱自在に連結したことを最も主要な特徴とする。
【００１５】
この場合、前記マイクロホンボディは、開口縁を介して仕切られた机を含む設置体の開口部内に前記マイクロホンユニット側を突出させて収納され、マイクカバーの前記他側連結部には、前記開口縁側への掛止が自在な鍔部を具備させておくのが好ましい。
【発明の効果】
【００１６】
本発明のうち、請求項１の発明によれば、マイクロホンボディとマイクカバーとは、相互に対面合致する位置関係のもとで設けた螺孔に対し止めねじを螺着することで、一側連結部と他側連結部とを面接触させて相互の電気的な導通を確実にして連結することができるので、コンデンサマイクロホンの全長にわたり外来電磁波に対する優れたシールド効果を付与することができる。
【００１７】
請求項２の発明によれば、マイクロホンボディは、マイクロホンユニット側を突出させて設置体内に収容し、マイクカバーの他側連結部に設けた鍔部を介して設置体の開口縁側に掛止させることができるので、卓上用のバウンダリーマイクロホンとして好適に使用することができる。
【発明を実施するための最良の形態】
【００１８】
図１は、卓上用のバウンダリーマイクロホンとして形成された本発明の一例を示す説明図であり、そのうちの（ａ）は、縦断面構造を示し、（ｂ）は、（ａ）につきマイクカバーを外した状態で示す要部説明図である。
【００１９】
同図によれば、例えば机等の設置体Ｄの開口部５２を介して設置されるコンデンサマイクロホン１１は、先端側にマイクロホンユニット１７を備えるマイクロホンボディ１２と、マイクロホンユニット１７を覆ってマイクロホンボディ１２側に電気的導通をとって着脱自在に連結されるマイクカバー２２とを少なくとも備えて形成されている。
【００２０】
このうち、マイクロホンボディ１２は、出力ユニット１８などの必要部材に適宜の配線が施されて収容される円筒形の本体部１３と、該本体部１３の先端側に一体に延設されてマイクカバー２２側と連結される一側連結部１４とを備えて形成されている。
【００２１】
この場合、マイクロホンボディ１２には、電気的な導電性と防錆効果とを付与するためにニッケル等の導電性金属材を用いた鍍金処理が施されている。
【００２２】
一方、マイクカバー２２は、網状の導電材により形成されて断面略コ字形を呈するカバー本体部２３と、該カバー本体部２３の開放縁２４側に付設されて一側連結部１４側と連結される他側連結部２５とを備えて形成されている。
【００２３】
この場合、真鍮などの導電性合金で形成される他側連結部２５は、一側連結部１４が差し込まれる筒状裾部２６と、該筒状裾部２６の上縁側からその長さと直交する方向に延設されて外周側に張り出させた鍔部２７と、カバー本体部２３の開放縁２４側を差し込むための空域２９を確保すべく鍔部２７の周縁側から突設された環状突起部２８とを備えている。
【００２４】
しかも、カバー本体部２３と他側連結部２５とは、環状突起部２８の内側に確保される空域２９内にカバー本体部２３の開放縁２４側を差し込んだ上で、はんだ付けやろう付けをして形成される接合部３１を介して一体的に連結されている。
【００２５】
この場合、一側連結部１４と他側連結部２５とは、一側連結部１４を他側連結部２５の筒状裾部２６内に差し込んで、該筒状裾部２６の端面２６ａが一側連結部１４の外周面に設けた突起１６に当接した際に相互に対面合致する位置関係となった螺孔１５，３０を各別に備えており、これらの螺孔１５，３０に止めねじ３３を螺着することで着脱自在に連結することができるようになっている。
【００２６】
つまり、マイクロホンボディ１２とマイクカバー２２とは、一側連結部１４と他側連結部２５とに対し止めねじ３３を螺着して着脱自在に連結させることで、コンデンサマイクロホン１１として用いることができることになる。
【００２７】
次に、図１に基づいて本発明の作用・効果を説明すれば、マイクロホンボディが備える一側連結部１４は、他側連結部２５の筒状裾部２６内に差し込まれる。
【００２８】
このとき、一側連結部１４は、筒状裾部２６の端面２６ａが当接する突起１６をその外周面に備えているので、その当接位置にて他側連結部２５の筒状裾部２６内への差込み操作は停止される。
【００２９】
しかも、この位置にある一側連結部１４と他側連結部２５とは、相互に対面合致するする位置関係のもとで形成された螺孔１５，３０を有しているので、これらの螺孔１５，３０に止めねじ３３を螺着することで一体的に連結することができる。
【００３０】
このようにして一側連結部１４と他側連結部２５とを連結させた際には、相互が密に面接触される結果、マイクロホンボディ１２とマイクカバー２２とを確実に電気的に接続させたコンデンサマイクロホン１１として優れたシールド効果を付与することができる。
【００３１】
特に、コンデンサマイクロホン１１を図１に示すように卓上用のバウンダリーマイクロホンとして用いる場合には、マイクカバー２２側が設置体Ｄの開口部５２上に突出して露呈されることから、至近距離で携帯電話などが使用されて強い電磁波の影響を受けることがあっても、優れたシールド効果により雑音を発生させることがなく使用することができる。
【００３２】
しかも、この場合、コンデンサマイクロホン１１は、マイクロホンユニット１７側を突出させて設置体Ｄ内にマイクロホンボディ１２側を収容し、マイクカバー２２の他側連結部２５に設けた鍔部２７を介して開口部５２を仕切る開口縁５１側に掛止させることで、卓上用のバウンダリーマイクロホンとして好適に使用することができる。
【００３３】
なお、マイクカバー２２は、止めねじ３３を外すことで簡単にマイクロホンボディ１２側から取り外すことができるので、マイクロホンユニット１７に対する点検・修理も極く容易に行うことができる。
【００３４】
以上は本発明を図示例に基づき説明したものであり、その具体的構成は図示例に限るものではない。例えば、一側連結部１４の螺孔１５と、他側連結部２５の螺孔３０とは、少なくとも２カ所以上の複数箇所に形成することができる。また、カバー本体部２３と他側連結部２５とは、全周にわたり接合部３１を形成してもよいが、所望に応じて複数箇所に散点状に形成することもできる。
【００３５】
さらに、本発明は、卓上用のバウンダリーマイクロホンを好適例として説明してきたが、必要に応じハンドマイクやマイクスタンドなどに保持させて使用するタイプのマイクロホンに適用することもできる。
【図面の簡単な説明】
【００３６】
【図１】卓上用のバウンダリーマイクロホンとして形成された本発明の一例を示す説明図であり、そのうちの（ａ）は、縦断面構造を示し、（ｂ）は、（ａ）につきマイクカバーを外した状態で示す要部説明図である。
【図２】従来からある卓上用のバウンダリーマイクロホンの一例を示す説明図であり、そのうちの（ａ）は、縦断面構造を示し、（ｂ）は、（ａ）につきマイクカバーを外した状態で示す要部説明図である。
【符号の説明】
【００３７】
１１  コンデンサマイクロホン
１２  マイクロホンボディ
１３  本体部
１４  一側連結部 
１５  螺孔
１６  突起
１７  マイクロホンユニット
１８  出力ユニット
２２  マイクカバー
２３  カバー本体部
２４  開放縁
２５  他側連結部
２６  筒状裾部
２６ａ  端面
２７  鍔部
２８  環状突起部
２９  空域
３０  螺孔
３１  接合部
３３  止めねじ
５１  開口縁
５２  開口部
Ｄ  設置体
【図１】
2008078703.tif 000003
【図２】
2008078703.tif 000004